(57)【特許請求の範囲】
【請求項１】
円筒形の一方の頂部の円周上に切断刃を有する下刃１と、円筒形の一方の頂部の円周上に切断刃を有する上刃２と、ゴムロール３とからなる樹脂付きキャリア用スリッタ部を有し、第１の回転軸に、上刃２とゴムローラ３を、上刃２の切断刃が内側となるように向かい合わせて設け、下刃１を設けた第２の回転軸が第１の回転軸と平行になるように配置されると共に、下刃１の切断刃と上刃２の切断刃を向い合せ、下刃１の頂部の切断刃を有する面と上刃２の頂部の切断刃を有する面とが一部接するように配置されていることを特徴とする樹脂付きキャリア用スリッタ。
【請求項２】
下刃１と上刃２の接する箇所に供給される樹脂付きキャリアが、下刃１の切断刃および／または上刃２の切断刃に接する角度を常に変えるニップロール４およびまたはガイドロール５を、スリッタ部の巻き出す方向の前後に設けたことを特徴とする請求項１に記載の樹脂付きキャリア用スリッタ。
【発明の詳細な説明】
【０００１】
【発明の属する技術分野】
本発明は、電気部品、特に配線板に使用される樹脂付きキャリアを切断するために用いる樹脂付きキャリア用スリッタに関する。
【０００２】
【従来の技術】
近年、電子機器の発達に伴い、電子機器に用いられる配線板にも、小型・軽量化や多機能化が求められるようになり、配線の収容量を増加した上で厚さを薄くするようなことが求められている。
【０００３】
このような要求に応えるためには、配線板を構成する絶縁材料の厚さを薄くしなければならず、従来のように、ガラスクロスに樹脂を含浸させたプリプレグでは厚くなってしまうので、樹脂だけで構成することが提案されている。
【０００４】
ところが、このプリプレグは、後に内層回路板と重ねて加熱・加圧して積層一体化して始めて完全硬化するようにしなければ、内層回路表面の凹凸が樹脂で埋まらず、耐電圧が低く使用できないものになるので、それまでは、半硬化状としなければならない。
【０００５】
そこで、樹脂だけでこのような半硬化状の絶縁層を構成する方法として、回路導体としても使用する銅箔や離型処理したキャリアフィルムをキャリアとしてその上に樹脂を塗布したものを使用することが提案され開発されている。
【０００６】
このようなキャリアに樹脂を塗布したキャリア付き銅箔は、生産原価を低くするために、コイル状の銅箔あるいは巻物状のキャリアフィルムを巻き出しながら、樹脂の塗布、厚さの調整、加熱・乾燥などを行いながら、樹脂面を保護する保護フィルムと一緒に巻き取るようにすることが多く、キャリアの幅も、市販されているものをそのまま幅広に使用することが多い。したがって、実際に使用するときには、製品の大きさに合わせてスリッタで切断加工している。また、その端部には塗布むらが多く、使用する前にその端部をスリッタによって切断除去する必要がある。
【０００７】
このような巻物状のものの切断加工を行うスリッタとしては、巻き出しながら巻き出す方向と反対に先端を向けた刃によるものや、その刃をはさみのように２枚合わせたものや、下刃１の左端部と上刃２の右端部とが食い違いになるように配置され、押し切り切断加工するものが知られている。
【０００８】
【発明が解決しようとする課題】
ところで、従来のスリッタでは、キャリアと半硬化状の樹脂との接着力が、平面方向ではなんとか保たれているが、厚さ方向の力に弱く、剥がれやすいものである。このスリット加工のときに端部が剥がれてしまうと、空中に浮遊しているごみや生産機械のローラに付着している異物が入りやすく、また吸湿して後に加熱されると性質が変わることもあり、配線板のような精密部品に使用できなくなるという課題があった。
【０００９】
本発明は、このようなキャリアと半硬化状の樹脂の剥がれの抑制に優れた樹脂付きキャリア用スリッタを提供することを目的とする。
【００１０】
【課題を解決するための手段】
本発明の樹脂付きキャリア用スリッタは、円筒形の一方の頂部の円周上に切断刃を有する下刃１と、円筒形の一方の頂部の円周上に切断刃を有する上刃２と、ゴムロール３とからなるスリッタ部を有し、第１の回転軸に、上刃２とゴムローラ３を、上刃２の切断刃が内側となるように向かい合わせて設け、下刃１を設けた第２の回転軸が第１の回転軸と平行になるように配置されると共に、下刃１の切断刃と上刃２の切断刃を向い合せ、下刃１の頂部の切断刃を有する面と上刃２の頂部の切断刃を有する面とが一部接するように配置されていることを特徴とする。
【００１１】
また、下刃１と上刃２の接する箇所に供給される樹脂付きキャリアが、下刃１の切断刃および／または上刃２の切断刃に接する角度を、常に変えるニップロール４およびまたはガイドロール５を、スリッタ部の巻き出す方向の前後に設ければ、より好ましい。
【００１２】
【発明の実施の形態】
本発明の樹脂付きキャリア用スリッタは、例えば、図２に示すように、スリット加工する樹脂付キャリアを巻き出す巻き出し部１０１、巻き出し方向の蛇行を検出する蛇行検出器１０２、蛇行検出器１０２の出力により蛇行調節用ロール１０３の軸の傾きを調整する蛇行調節装置１０４、複数の工程をつなぐアルミニウム製の搬送ロール１０５、次の樹脂付きキャリアと接続する基材継ぎ部１０６、樹脂付きキャリア用スリッタの下刃２に巻き付く角度を常に変えるニップロール４とガイドロール５、スリットされた樹脂付きキャリア９１をそれぞれ巻き取る巻き取り部１０７、１０８から構成することができる。
また、図３に示すように、樹脂付きキャリア用スリッタの下刃２に巻き付く角度を常に変えるガイドロール５を、上から樹脂付きキャリアを押さえるように設けることもできる。
【００１３】
このスリット部は、図１に示すように、刃の部分に特殊鋼を用いた直径１００．５ｍｍの円筒形の頂部の円周上に切断刃を有する下刃１と、下刃１と同じ構造の上刃２と、ゴムローラ３とからなるものであり、第１の回転軸６に、上刃２とゴムローラ３を、上刃２の切断刃が内側となるように向かい合わせて設け、下刃１を設けた第２の回転軸７が第１の回転軸６と平行になるように配置されると共に、下刃１の切断刃と上刃２の切断刃を向い合せ、下刃１の頂部の切断刃を有する面と上刃２の頂部の切断刃を有する面とが一部接するように配置されている。この２つの切断刃を有する面が接する量（オーバーラップ量）を、０．５ｍｍに調節し、樹脂付きキャリアを下刃１とゴムロール３に挟みながら下刃１と上刃２によって押し切り加工するものとした。
さらに、２つの切断刃のすきまは、ほぼ０とした。このすきまを保持するために、軸受け８は、ピボット軸受けとし、刃の回転によるぶれ量を０．０２ｍｍ以下に抑えることができた。
【００１４】
【発明の効果】
以上に説明したとおり、本発明によって、キャリアと半硬化状の樹脂の剥がれの抑制に優れた樹脂付きキャリア用スリッタを提供することができる。
【図面の簡単な説明】
【図１】（ａ）は樹脂付きキャリアの搬送方向からみた樹脂付きキャリア用スリッタの部分であり、（ｂ）は（ａ）の側面図である。
【図２】本発明の一実施例を示す樹脂付きキャリア用スリッタの概要図である。
【図３】本発明の他の実施例を示す樹脂付きキャリア用スリッタの概要図である。
【符号の説明】
１．下刃                            ２．上刃
３．ゴムロール                      ４．ニップロール
５．ガイドロール                    ６．第１の回転軸
７．第２の回転軸                    ８．軸受け
９．樹脂付きキャリア                ９１．スリットされた樹脂付きキャリア１０１．巻き出し部                  １０２．蛇行検出機
１０３．蛇行調節用ロール            １０４．蛇行調節装置
１０５．搬送ロール                  １０６．基材継ぎ部
１０７，１０８．巻き取り部
【図１】
0004150941.tif 000002
【図２】
0004150941.tif 000003
【図３】
0004150941.tif 000004